(57)【特許請求の範囲】
【請求項１】
複数の無線中継装置から、当該無線中継装置に関連する複数種類の通信状況を示す第１情報、および当該第１情報とは異なる第２情報であって当該無線中継装置に設定された識別子に関連する通信状況を示す第２情報を含む通信状況情報を受信する受信部と、
平面と第３方向とによって規定される３次元空間を疑似的に表示し、
１つの前記無線中継装置に設定された前記識別子に対応する画像が前記第３方向に並べられてグループ化した画像群を、前記第１情報における前記通信状況の種類がそれぞれ割り当てられた前記平面及び前記第３方向によって擬似的に規定される前記３次元空間において前記第１情報に応じた位置に表示し、
前記識別子に対応する画像には、当該識別子に対応する前記第２情報を表示する
ためのデータを生成する生成部と、
を備える制御装置。
【請求項２】
前記通信状況情報は、前記第１情報とは異なる第３情報であって１つの無線中継装置において設定された複数の識別子に共通に関連する通信状況を示す第３情報をさらに含み、
前記生成部は、前記画像群の最前面に位置する画像に対応した領域であって、当該画像群に含まれる他の前記画像に重畳しない領域を少なくとも含む位置に、当該画像群が示す複数の識別子に対応する前記第３情報を表示する
ためのデータを生成することを特徴とする請求項１に記載の制御装置。
【請求項３】
前記生成部は、第１方向および第２方向で規定される平面と当該第１方向及び第２方向とは異なる第３方向とによって規定される３次元空間を疑似的に表示し、
１つの前記無線中継装置に設定された前記識別子に対応する画像が前記第３方向に並べられてグループ化した画像群を、前記第１情報における前記通信状況の種類がそれぞれ割り当てられた前記第１方向、前記第２方向及び前記第３方向によって擬似的に規定される前記３次元空間において前記第１情報に応じた位置に表示する
ためのデータを生成することを特徴とする請求項１または請求項２に記載の制御装置。
【請求項４】
前記生成部は、
前記識別子に対応する画像を少なくとも３つの領域で表示し、
前記３つの領域のうち最も内側の領域である第１領域の内側に前記第２情報を表示し、
前記第１領域を囲む領域である第２領域を前記通信状況情報に基づいて決められる指標に応じた色で表示し、
前記第２領域を囲む領域である第３領域に前記第１情報を表示する
ためのデータを生成することを特徴とする請求項１から請求項３のいずれか一に記載の制御装置。
【請求項５】
前記第１情報は、３種類の前記通信状況を含み、
前記生成部は、前記３種類の通信状況がそれぞれ割り当てられた前記第１方向、前記第２方向及び前記第３方向によって擬似的に規定される前記３次元空間において、前記第１情報に応じた位置に前記画像群を表示するためのデータを生成することを特徴とする請求項３に記載の制御装置。
【請求項６】
前記第２情報は、少なくとも前記識別子、当該識別子を有する無線中継装置に接続される無線端末のＭＡＣアドレスのうちいずれか一を含む情報であることを特徴とする請求項３から請求項５のいずれか一に記載の制御装置。
【請求項７】
前記第３情報は、少なくともチャネル使用率、ＣＲＣエラー率、通信負荷及び周波数毎の無線端末の接続台数のうちいずれか一を含む情報であることを特徴とする請求項２に記載の制御装置。
【請求項８】
前記生成部は、前記識別子に対応する画像の少なくとも一部を前記通信状況情報に基づいて決められる指標に応じた色で表示するためのデータを生成することを特徴とする請求項１から請求項３のいずれか一に記載の制御装置。
【請求項９】
前記第１情報は、電波強度の情報を含み、
前記生成部は、前記通信状況情報に基づいて決められる指標が所定の範囲にある前記識別子に対応する画像が複数あり、当該複数の画像の位置する前記電波強度の差が所定の範囲にある場合に、当該複数の画像を選択して表示する
ためのデータを生成することを特徴とする請求項１から請求項３のいずれか一に記載の制御装置。
【請求項１０】
前記生成部は、すべての前記識別子に対応する画像を前記３次元空間に表示し、
前記識別子に対応する画像のうちの一つが選択されると、選択された当該識別子に対応する画像を選択前の表示形態とは異なる形態で表示する
ためのデータを生成することを特徴とする請求項３に記載の制御装置。
【請求項１１】
前記生成部は、前記複数の無線中継装置の画像のうちいずれか一つの画像が選択されると、選択された当該無線中継装置の画像を、予め定めた領域に表示する
ためのデータを生成することを特徴とする請求項３に記載の制御装置。
【請求項１２】
前記生成部は、前記複数の識別子に対応する画像に対応した領域であって、他の前記画像に重畳しない領域を少なくとも含む位置に、複数の識別子に対応し当該複数の識別子毎に異なる値となる前記第１情報を表示するためのデータを生成することを特徴とする請求項１から請求項３のいずれか一に記載の制御装置。
【請求項１３】
前記無線中継装置は、アクセスポイントであり、
前記識別子は、ＳＳＩＤであることを特徴とする請求項１から請求項１２のいずれか一に記載の制御装置。
【請求項１４】
前記制御装置は、アクセスポイントの機能を有していることを特徴とする請求項１から請求項１３のいずれか一に記載の制御装置。
【発明の詳細な説明】
【技術分野】
【０００１】  本発明は、制御装置に関する。本発明は、特に、無線中継装置の状態を容易に把握することができる制御装置に関する。
【背景技術】
【０００２】  従来、多チャンネル無線通信システムにおいて、複数の無線機器から受信した複数のチャネルの電界強度値を用いて、複数のチャネルの電波状態を数値化し、この数値化したデータを用いて、複数のチャネルごとに、複数の無線機器の電波状態を視覚化し、表示画面上に同時に表示する電波状態表示装置が開示されている（特許文献１）。
【先行技術文献】
【特許文献】
【０００３】
【特許文献１】特開２０１１−１１４４１６号公報
【発明の概要】
【発明が解決しようとする課題】
【０００４】  しかしながら、特許文献１に開示された技術では、無線機器の電波状態を把握することができるだけで、アクセスポイントの状態を把握することができないという問題がある。【０００５】  本発明は、上記のような従来技術に伴う課題を解決しようとするものであって、その目的とするところは、無線中継装置の状態を容易に把握することができる制御装置を提供するところにある。
【課題を解決するための手段】
【０００６】  本発明の一実施形態によれば、複数の無線中継装置から、当該無線中継装置に関連する通信状況を示す第１情報、当該無線中継装置に設定された識別子に関連する通信状況を示す第２情報および同一無線中継装置において設定された複数の識別子に共通に関連する通信状況を示す第３情報を含む通信状況情報を受信する受信部と、平面と第３方向とによって規定される３次元空間を疑似的に表示し、前記識別子に対応する画像を、当該識別子が設定された前記無線中継装置毎に前記第３方向に並べてグループ化した画像群として、前記平面及び前記第３方向の少なくとも１つに前記第１情報に応じた位置に表示し、前記識別子に対応する画像には、当該識別子に対応する前記第２情報を表示するためのデータを生成する生成部と、を備える制御装置が提供される。
【発明の効果】
【０００７】  本発明によれば、無線中継装置の状態を容易に把握することができる制御装置を提供することができる。
【図面の簡単な説明】
【０００８】
【図１】本発明の一実施形態に係る制御装置と連携する複数のアクセスポイントの関係を示すブロック図である。
【図２】本発明の一実施形態に係る制御装置の構成を示すブロック図である。
【図３】本発明の一実施形態に係る制御装置の制御部の機能ブロック構成を示すブロック図である。
【図４】本発明の一実施形態に係る制御装置の表示部の一例を示す図である。
【図５】本発明の一実施形態に係る制御装置の全体マップの一例を示す概念図である。
【図６】本発明の一実施形態に係るアイコンの一例を示す概念図である。
【図７】本発明の一実施形態に係るアイコンの一例を示す概念図である。
【図８Ａ】本発明の一実施形態に係るアイコンの一例を示す概念図である。
【図８Ｂ】本発明の一実施形態に係るアイコンの一例を示す概念図である。
【図９】本発明の一実施形態に係る制御装置の全体マップ機能を利用する場合の動作例を示すフロー図である。
【図１０】本発明の変形例に係る制御装置の構成を示すブロック図である。
【図１１】本発明の他の変形例に係る制御装置の構成を示すブロック図である。
【発明を実施するための形態】
【０００９】  以下、本発明の一実施形態について、図面を参照しながら詳細に説明する。以下に示す実施形態は本発明の実施形態の一例であって、本発明はこれらの実施形態に限定されるものではない。なお、本実施形態で参照する図面において、同一部分または同様な機能を有する部分には同一の符号または類似の符号（数字の後にＡ、Ｂなどを付しただけの符号）を付し、その繰り返しの説明は省略する場合がある。また、図面の寸法比率は説明の都合上実際の比率とは異なったり、構成の一部が図面から省略されたりする場合がある。
【００１０】  図１を用いて、制御装置３と連携する複数の無線中継装置（アクセスポイント）４ａ等の関係を説明する。図１は、本発明の一実施形態に係る制御装置と複数のアクセスポイントの関係を示すブロック図である。ここで、制御装置３と連携する複数のアクセスポイント４ａ等とを合わせて、無線通信システムと呼ぶ。また、図１では、複数のアクセスポイント４ａ、４ｂ、…、４ｎがあるが、各アクセスポイントを特に区別する必要がない場合には、単に「アクセスポイント４」と呼ぶ。各アクセスポイント４には、データベース５ａ、５ｂ、…、５ｎが接続されているが、特に区別する必要がない場合には、単に「データベース５」と呼ぶ。なお、この明細書で「無線」とは、電磁波により、空間を通して信号を伝送することをいう。
【００１１】  無線中継装置４は、この例では、無線ＬＡＮ（Ｌｏｃａｌ  Ａｒｅａ  Ｎｅｔｗｏｒｋ）のアクセスポイント（ＡＰ）である。もっとも、無線中継装置４は、無線ＬＡＮのルータであってもよい。以降の説明では、無線中継装置４は、アクセスポイントであるものとして説明する。アクセスポイント４は、後で詳細に説明するとおり、通信状況に関する情報を取得する。取得された情報は、データベース５に記憶され、保持される。
【００１２】  アクセスポイント４には、無線端末（図示せず）が接続される。無線端末は、多機能携帯電話、携帯電話やＰＤＡ（Ｐｅｒｓｏｎａｌ  Ｄｉｇｉｔａｌ  Ａｓｓｉｓｔａｎｔ）等の移動通信端末装置、パーソナルコンピュータなどの通信機能及び演算機能を備えた情報処理端末装置等が含まれる。また、表示制御機能としてブラウザを備え、ＣＰＵ、メモリ及び無線中継装置４との間の通信制御を遂行する通信制御部等を含む。さらに、マウスやキーボード、タッチパネル等の操作入力装置及び表示装置を備えることができる。
【００１３】  制御装置３は、この例では、無線ＬＡＮ（Ｌｏｃａｌ  Ａｒｅａ  Ｎｅｔｗｏｒｋ）のアクセスポイント（ＡＰ）である。この例では、制御装置３は、複数のアクセスポイント４を制御する。ここでは、制御装置３は、複数のアクセスポイント４を制御する機能を有するという意味で、コントローラアクセスポイント（コントローラＡＰ）と呼んでもよい。他方、コントローラアクセスポイントが制御する複数のアクセスポイント４をメンバーアクセスポイントと呼んでもよい。制御装置３には、データベース６が接続される。後で詳細に説明するとおり、制御装置３がアクセスポイント４から受信した情報はデータベース６に記憶され、保持される。もっとも、制御装置３は、無線ＬＡＮのアクセスポイントに限定されるものではない。制御装置３は、複数のアクセスポイント４と有線で接続されてもよい。
【００１４】［制御装置の構成］  次に、図２を用いて、制御装置３の構成について説明する。図２は、本発明の一実施形態に係る制御装置の構成を示すブロック図である。
【００１５】  制御装置３は、制御部３０、記憶部６０、操作部４０、表示部５０、接続部７０および通信部８０を備える。これらの各構成はバスを介して接続されている。
【００１６】  制御部３０は、ＣＰＵなどの演算処理回路を含む。制御部３０は、記憶部６０に記憶されたプログラムをＣＰＵ（コンピュータ）により実行して、後述する表示データの生成処理を行うための機能を実現する。ここの機能を実現する構成の一部または全部は、プログラムの実行によってソフトウエアによって実現される場合に限られず、ハードウエアによって実現されてもよい。ハードウエアによって実現する場合については、変形例１において説明する。なお、制御部３０によって実現される機能は、表示データの生成を行う機能（表示データ生成機能）以外にも、装置各部を制御する機能を含む。
【００１７】  記憶部６０は、不揮発性メモリ、ハードディスク等の記憶装置である。記憶部６０は、上述したプログラムなど、様々な機能を実現するためのアプリケーションプログラムを記憶する記憶領域、設定処理などによって設定される設定情報を記憶する記憶領域を含む。プログラムは、コンピュータにより実行可能であればよく、磁気記録媒体、光記録媒体、光磁気記録媒体、半導体メモリなどのコンピュータ読み取り可能な記録媒体に記憶した状態で提供されてもよい。この場合には、制御装置３は、記録媒体を読み取る装置を備えていてもよい。また、プログラムは、ネットワーク経由でダウンロードされてもよい。
【００１８】  操作部４０は、操作ボタンなどによりユーザが入力した操作に応じた信号を制御部３０に出力する。操作ボタンは、例えば、電源スイッチ、カーソルキーなどを含み、ユーザの指示を受け付ける操作子であればよい。表示部５０は、液晶ディスプレイ、有機ＥＬディスプレイ等の表示装置であり、制御部３０による制御に基づいた画面（設定画面など）を表示する。なお、操作部４０および表示部５０については、制御装置３が有していなくてもよい。この場合には、制御装置３に接続される外部装置において操作部４０および表示部５０に相当する機能が代用されてもよい。接続部７０は、ＰＣ等の端末と接続するためのインターフェイスである。
【００１９】  通信部８０は、制御部３０の制御に基づいてネットワーク（図示せず）に接続し、外部の装置と情報の送受信を行う。以上が、制御装置３の説明である。
【００２０】  次に、図３を用いて、制御装置３の制御部３０の構成について説明する。図３は、本発明の一実施形態に係る制御装置の制御部の機能ブロック構成を示すブロック図である。制御装置３は、受信部３１及び生成部３３を備える。なお、図３には説明の便宜のため、表示部５０、記憶部６０及び通信部８０も示している。
【００２１】  受信部３１は、複数のアクセスポイント４から通信状況情報を受信する。受信部３１は、表示内容の更新の入力を受けた後に複数のアクセスポイント４から通信状況情報を受信してもよい。ここで、通信状況情報は、アクセスポイントに関連する通信状況を示す情報（第１情報）、当該アクセスポイントに設定された識別子（ＳＳＩＤ；Ｓｅｒｖｉｃｅ  Ｓｅｔ  ＩＤｅｎｔｉｆｉｅｒ）に関連する通信状況を示す情報（第２情報）および同一アクセスポイントにおいて設定された複数のＳＳＩＤ（Ｍｕｌｔｉ  ＳＳＩＤ）に共通に関連する通信状況を示す情報（第３情報）を含む。
【００２２】  アクセスポイントに関連する通信状況を示す情報は、例えば、電波強度、チャネル、アクセスポイントの数などの情報である。当該アクセスポイントに設定されたＳＳＩＤに関連する通信状況を示す情報は、例えば、ＳＳＩＤ、当該ＳＳＩＤに接続される無線端末のＭＡＣアドレス、メディアタイプ（ＩＥＥＥ  ８０２．１１ａ／ｂ／ｇ／ｎ等）、チャネル、伝送速度、認証方式（オープン、ＰＳＫ、ＷＰＡ、ＷＰＡ２等）、暗号方式などの情報である。
【００２３】  同一アクセスポイントにおいて設定された複数のＳＳＩＤに共通に関連する通信状況を示す情報は、例えば、チャネル使用率、ＣＲＣエラー発生率、通信負荷（トラフィック）及び周波数毎（この例では、２．４ＧＨｚ及び５ＧＨｚ）の無線端末の接続台数等の情報である。
【００２４】  生成部３３は、Ｘ軸方向（第１方向）７０１およびＺ軸方向（第２方向）７０２で規定される平面と当該Ｘ軸方向７０１及びＺ軸方向７０２とは異なるＹ軸方向（第３方向）７０３とによって規定される３次元空間を疑似的に表示するデータを生成する。また、生成部３３は、後述のＳＳＩＤに対応する画像を、当該ＳＳＩＤが設定されたアクセスポイント４毎にＹ軸方向７０３に並べてグループ化した画像群６５（図５参照）として、Ｘ軸方向７０１、Ｚ軸方向７０２及びＹ軸方向７０３の少なくとも１つの方向に沿ってアクセスポイントに関連する通信状況を示す情報に応じた位置に表示するデータを生成する。また、生成部３３は、ＳＳＩＤに対応する画像には、当該ＳＳＩＤに対応する当該アクセスポイントに設定されたＳＳＩＤに関連する通信状況を示す情報を表示するためのデータを生成する。さらに、生成部３３は、画像群６５の最前面に位置する画像（後述の代表ＳＳＩＤのアイコン６１）に対応した領域であって、当該画像群６５に含まれる他のＳＳＩＤに対応する画像に重畳しない領域を少なくとも含む位置に、当該画像群６５が示す複数のＳＳＩＤに対応する同一アクセスポイントにおいて設定された複数のＳＳＩＤに共通に関連する通信状況を示す情報を表示するためのデータを生成する。生成部３３で生成されたデータを用いて、表示部５０は画像を表示する。
【００２５】  生成部３３は、平面とＹ軸方向（第３方向）７０３によって規定される３次元空間を疑似的に表示するデータを生成してもよい。この場合には、生成部３３は、ＳＳＩＤに対応する画像を、当該ＳＳＩＤが設定されたアクセスポイント４毎にＹ軸方向７０３に並べてグループ化した画像群６５（図５参照）として、平面及びＹ軸方向７０３の少なくとも１つにアクセスポイントに関連する通信状況を示す情報に応じた位置に表示するデータを生成する。例えば、Ｙ軸方向７０３にチャネルを表示し、平面に電波強度とアクセスポイントの数を表示する場合、当該平面における表示方法は、任意の表示方法でよい。当該平面は、Ｘ軸とＺ軸で直交する平面でなくてもよく、Ｘ軸又はＺ軸など一方向に電波強度とアクセスポイントの数との関係を表示してもよい。また、当該平面の任意の軸（例えば、渦状に）に電波強度とアクセスポイントの数との関係を表示してもよい。
【００２６】  次に、図４を用いて、制御装置３の表示部５０の表示について説明する。図４は、本発明の一実施形態に係る制御装置の表示部の一例を示す図である。
【００２７】  図４に示すＣＨ＋ボタン５０１、ＣＨ−ボタン５０３、チャンネル選択ボタン５０５、検索ボタン５０９、全体表示ボタン５１５、拡大ボタン５１７、縮小ボタン５１９、上ボタン５２１、下ボタン５２３、左ボタン５２５、右ボタン５２７、原点復帰ボタン５２９、自動更新ボタン５４３は、操作部４０に含まれる。
【００２８】  全体表示ボタン５１５を押すことにより、図５に示すように、全体マップの表示を行うことができる。拡大ボタン５１７を押すと、表示を拡大することができ、縮小ボタン５１９を押すと、表示を縮小することができる。上ボタン５２１、下ボタン５２３、左ボタン５２５、右ボタン５２７を押すことにより、それぞれ上下左右を指定することができる。原点復帰ボタン５２９を押すと、原点付近が表示される。また、自動更新ボタン５４３を押すかどうかで、表示内容を自動で更新するか手動で更新するかを選択することができる。さらに、ＸＹ表示ボタン（図示せず）を押すと、Ｘ−Ｙ平面を正面として表示することができる。同様に、ＹＺ表示ボタン（図示せず）を押すと、Ｙ−Ｚ平面を正面として表示することができ、ＺＸ表示ボタン（図示せず）を押すと、Ｚ−Ｘ平面を正面として表示することができる。これらの平面を正面とした場合、他の軸は表示されない。また、ボタン５３１を押すと、自局宛フレームのＣＲＣエラー率が表示され、ボタン５３３を押すと、アクセスポイント４が受信したすべてのフレームのＣＲＣエラー率が表示される。
【００２９】  ＣＨ＋ボタン５０１を押すと、現在選択されているチャネルから１チャネル増えた値のチャネルが選択される。他方、ＣＨ−ボタン５０３を押すと、現在選択されているチャネルから１チャネル減った値のチャネルが選択される。チャンネル選択ボタン５０５を押すと、自由にチャネルを選択することができる。なお、設定により選択したチャネル以外のチャネルの情報は非表示にしてもよい。検索欄５１１には、フリーワードを入力することができる。検索ボタン５０９を押すと、追加情報表示欄５４５に検索結果が表示される。この例では、「ＳＳＩＤ−８」が検索欄５１１に入力されている。「ＳＳＩＤ−８」を検索すると、追加情報表示欄５４５に「ＳＳＩＤ−８」に対応するアイコン（後述の代表ＳＳＩＤのアイコン６１またはサブＳＳＩＤアイコン６２）が表示される。
【００３０】  追加情報表示アイコン（図示せず）を押すと、追加情報表示欄５４５のコメントが更新されてもよい。なお、追加情報表示欄５４５には、「良」「悪」と記載されており、その間に、５つの長方形がある。５つの長方形には、それぞれ異なる色が付けられたり、異なる文字が記載されたりしてもよい。この例では、５つの長方形の意味は、「良」からみて、「良好」、「許容」、「注意」、「警告」、「重大」である。もっとも、長方形の個数や意味づけについては適宜設定可能である。
【００３１】  なお、評価の基準は、通信状況情報に基づいて決められる。自局（当該制御装置３）が使用しているチャネルのＣＲＣエラー率が所定のパーセント以上になること、自局で使用しているチャネルと完全に重なるチャネルがあること、チャネル使用率が所定のパーセント以上であること、自局に接続している無線端末の台数が所定の数以上であること、自局に接続する無線端末からの信号の受信強度が−７０ｄＢｍ以下の無線端末があることなどの条件を設定し、各条件を総合して、評価の基準としてもよい。
【００３２】  上述のように、「良好」、「許容」、「注意」、「警告」、「重大」等を意味する色や文字による表示にすることによって、専門知識を有しないユーザであっても、問題の重要度を判断することができるという効果を奏する。
【００３３】  次に、図５を用いて、無線ＬＡＮの全体マップについて説明する。図５は、本発明の一実施形態に係る制御装置の全体マップの一例を示す概念図である。
【００３４】  ＳＳＩＤアイコンは、当該ＳＳＩＤアイコンが設定されたアクセスポイント４毎に、アクセスポイントに関連する通信状況を示す情報（第１情報）に応じた位置に表示される。アクセスポイントに関連する通信状況を示す情報（第１情報）は、上記のとおり、電波強度、チャネル、アクセスポイントの数などである。図５の例では、Ｘ軸方向（第１方向）７０１に、第１情報としての電波強度を表わし、Ｙ軸方向（第３方向）７０３に、第１情報としてのチャネルを表わし、Ｚ軸方向（第２方向）７０２に、第１情報としてのアクセスポイントの数を表わす。電波強度は、制御装置（自局アクセスポイント）３から見た電波強度を意味する。すなわち、原点に制御装置（自局アクセスポイント）３のアイコンを配置した上で、原点を０ｄＢｍとして、原点からＸ軸方向のマイナス側に離れれば離れるほど、制御装置（自局アクセスポイント）３から見た電波強度が弱くなることを意味する。もっとも、Ｘ軸方向７０１、Ｙ軸方向７０３、Ｚ軸方向７０２は、電波強度、チャネル、アクセスポイントの数のいずれかだけではなく、チャネル使用率やＣＲＣエラー率、ＳＳＩＤ数であってもよい。なお、このように３方向にそれぞれ３種類の情報が表示される場合には、生成部３３は、３方向に沿って、３種類の情報に応じた位置に画像群６５を表示するためのデータを生成する。
【００３５】  図５の全体マップには、ＳＳＩＤに対応する画像、すなわち、代表ＳＳＩＤのアイコン６１、サブＳＳＩＤアイコン６２及び他社アクセスポイントのＳＳＩＤのアイコン６３が表示されている。代表ＳＳＩＤのアイコン６１は、ＶＡＰ（Ｖｉｒｔｕａｌ  Ａｃｃｅｓｓ  Ｐｏｉｎｔ）の代表ＳＳＩＤのアイコンを意味する。代表ＳＳＩＤとは、同じアクセスポイントの複数のＳＳＩＤのうち、画面の手前側（画面の最前面）に表示されるＳＳＩＤを意味する。サブＳＳＩＤアイコン６２は、代表ＳＳＩＤ以外のＳＳＩＤのアイコンを意味する。ＶＡＰの場合、複数のＳＳＩＤ（Ｍｕｌｔｉ  ＳＳＩＤ）を設定することが可能である。代表ＳＳＩＤのアイコン６１、サブＳＳＩＤアイコン６２とは、アクセスポイント毎にＹ軸方向７０３に並べてグループ化された画像群ともいえる。
【００３６】  代表ＳＳＩＤのアイコン６１同士の表示間隔、代表ＳＳＩＤのアイコン６１とサブＳＳＩＤアイコン６２との表示間隔、代表ＳＳＩＤのアイコン６１と他社アクセスポイントのＳＳＩＤのアイコン６３との表示間隔は、いずれも適宜、設定で変更することができる。
【００３７】  アクセスポイントが複数のＳＳＩＤで動作している場合には、Ｙ軸方向７０３に複数のＳＳＩＤが重なって表示される。すなわち、代表ＳＳＩＤのアイコン６１の後ろにサブＳＳＩＤアイコン６２が、Ｙ軸方向７０３に向かって一部が重なるように並べて表示される。言い換えると、代表ＳＳＩＤのアイコン６１は、他のアイコンによって表示が遮られることなく、完全な形状のアイコンが表示される。他方、サブＳＳＩＤアイコン６２は、画面手前にあるアイコンと重なる部分は、表示が遮られ、完全な形状のアイコンは表示されない。なお、代表ＳＳＩＤのアイコン６１とサブＳＳＩＤアイコン６２との違いは、図６及び図７の説明の中で詳細に説明する。
【００３８】  また、この例では、代表ＳＳＩＤのアイコン６１とサブＳＳＩＤアイコン６２とは、同じ会社製のアクセスポイントのＳＳＩＤである。ここでは、同じ会社製のアクセスポイントを「自社アクセスポイント」と呼んでもよい。自社アクセスポイントは、コントローラアクセスポイント３とコントローラアクセスポイントによって制御されるメンバーアクセスポイント４である。この例では、自社アクセスポイントのＳＳＩＤのアイコンは、Ｚ軸方向７０２のプラス側に表示される。他方、他社アクセスポイントのＳＳＩＤのアイコン６３は、Ｚ軸方向７０２のマイナス側に表示する。他社アクセスポイントのＳＳＩＤのアイコン６３は、コントローラアクセスポイント３によって制御されない他社製のアクセスポイントのＳＳＩＤのアイコンを意味する。このように自社アクセスポイントのＳＳＩＤと他社アクセスポイントのＳＳＩＤのアイコンとを分けて表示することによって、それぞれの情報を区別して把握することができるという効果を奏する。
【００３９】  また、図５に示すようにアクセスポイントの全体マップを表示することによって、すべてのアクセスポイントの情報を、表示を切り替えることなく一度に把握することができるという効果を奏する。全体マップの表示されるアイコン（代表ＳＳＩＤのアイコン６１、サブＳＳＩＤアイコン６２、他社アクセスポイントのＳＳＩＤのアイコン６３）には、それぞれ評価ランプがあるため、それぞれの評価を一目で把握することができるという効果を奏する。評価ランプについての詳細は後述するが、この例では、５段階の評価レベルに対応する色が評価ランプに表示される。このように、ＳＳＩＤのアイコンを疑似的な３次元空間に配置することにより、評価の悪いＳＳＩＤを容易に見つけることができるという効果を奏する。
【００４０】  また、Ｘ軸方向７０１を電波強度とすると、評価レベルが一定レベル以下のＳＳＩＤのアイコンが複数ある場合には、評価レベルが一定レベル以下の原因を視覚的に把握できるという効果を奏する。すなわち、評価レベルが一定レベル以下のＳＳＩＤのアイコンが複数あり、これらの電波強度が所定の範囲（例えば、同じか近い値）の場合には、外来波や妨害波の可能性が高いことを視覚的に把握することができる。他方、評価レベルが一定レベル以下のＳＳＩＤのアイコンが複数あっても、これらの電波強度が所定の範囲外の場合には、外来波や妨害波の可能性は低いことを視覚的に把握することができる。
【００４１】  生成部３３は、通信状況情報に応じて所定の範囲にあるＳＳＩＤに対応する画像が複数あり、当該複数の画像の位置する電波強度の情報の関係が、所定の条件を満たす場合に、当該複数の画像を選択して表示するためのデータを生成してもよい。ここで、通信状況情報に応じて所定の範囲にあるＳＳＩＤとは、例えば、上記の評価レベルが一定レベル以下のＳＳＩＤであってもよい。また、所定の条件とは、例えば、複数の画像の位置する電波強度の情報が一致することであってもよいし、複数の画像の位置する電波強度の差が所定の範囲（例えば、２０ｄＢ）以内であってもよい。所定の条件は、適宜に設定可能である。評価レベルの悪いＳＳＩＤの画像が複数あり、所定の条件が複数の画像の位置する電波強度の情報が一致することである場合、評価レベルが悪い原因は、外来波や妨害波の可能性が高い。そのため、外来波や妨害波によって評価レベルの悪いＳＳＩＤの画像を選択して表示するためのデータを生成することができるという効果を奏する。
【００４２】  生成部３３は、すべてのＳＳＩＤに対応する画像を３次元空間に表示し、ＳＳＩＤに対応する画像のうちの一つが選択されると、選択された当該ＳＳＩＤに対応する画像を表示するためのデータを生成してもよい。全体マップの表示されるアイコン（代表ＳＳＩＤのアイコン６１、サブＳＳＩＤアイコン６２、他社アクセスポイントのＳＳＩＤのアイコン６３）のいずれかを選択すると、生成部３３が選択されたＳＳＩＤのアイコンを表示するためのデータを生成し、選択されたＳＳＩＤのアイコンが、追加情報表示欄５４５に表示される。これによって、確認したい情報に絞ることができるという効果を奏する。例えば、全体マップで確認したときに、評価ランプの評価が悪いアイコンを選択することによって、評価の悪いアイコンの詳細情報を確認することができる。
【００４３】  生成部３３は、複数の無線中継装置の画像のうちいずれか一つの画像が選択されると、選択された当該無線中継装置の画像を、予め定めた領域に表示するためのデータを生成してもよい。具体的には、生成部３３は、選択された当該無線中継装置の画像を、Ｘ軸方向（第１方向）７０１、Ｚ軸方向（第２方向）７０２及びＹ軸方向（第３方向）７０３の３つの軸の中心（図５に示す原点）を含む領域に表示するためのデータを生成してもよい。例えば、電波強度、チャネル、ＳＳＩＤ数を３軸とする３次元空間において、初期状態では、制御装置（自局アクセスポイント）３のＳＳＩＤアイコンが動作中のチャネルの、ＳＳＩＤ数０、電波強度０ｄＢｍの位置に表示し、チャネルごとに制御装置３が検出した電波強度順に各ＳＳＩＤのアイコンを表示する。この初期状態から、複数のアクセスポイント（メンバーアクセスポイント）４のうちの一つの画像が選択されると、選択された当該アクセスポイント４を、動作中のチャネルのＳＳＩＤ数０、電波強度０ｄＢｍの位置に表示し、当該アクセスポイント４が検出した電波強度順に各ＳＳＩＤアイコンを表示する。これによって、確認したい情報に絞ることができるという効果を奏する。
【００４４】  次に、図６及び図７を用いて、代表ＳＳＩＤのアイコン６１及びサブＳＳＩＤアイコン６２について説明する。図６及び図７は、本発明の一実施形態に係るアイコンの一例を示す概念図である。
【００４５】  代表ＳＳＩＤのアイコン６１は、少なくとも３つの領域で表示される。この例では、３つの領域は、図６に示すように、円形状である。もっとも、代表ＳＳＩＤのアイコン６１の形状は、円形状に限定されるものではなく、多角形状、楕円形状など複数を並べて表示することが可能な形状であればよい。３つの領域のうち最も内側の領域（第１領域）の内側、例えば、代表ＳＳＩＤのアイコン６１の中心６１２には、当該アクセスポイントに設定されたＳＳＩＤに関連する通信状況を示す情報（第２情報）が表示される。この情報は、基本情報と呼んでもよい。第１領域を囲む領域である第２領域には、評価ランプ６１７によって、評価が表示される。第２領域を囲む領域である第３領域には、台数表示６１１が表示される。
【００４６】  基本情報（第２情報）は、上記のとおり、ＳＳＩＤ、ＭＡＣアドレス、無線ＬＡＮ規格、チャネル、最大伝送速度、認証方式、暗号方式、評価などの情報である。この例では、図６に示すように、ＳＳＩＤは、ＳＳＩＤ−１２３４５６７８である。ＭＡＣアドレスは、１２：３４：５６：７８：９０：ａｂである。無線ＬＡＮ規格は、ＩＥＥＥ  ８０２．ａｃで、チャネルは１３ｃｈである。また、最大伝送速度は、１．７Ｇｐｓで、認証方式は、ＷＰＡ２−ＥＡＰで、暗号方式は、ＡＥＳである。図６に示すこれらの情報が、当該アクセスポイントに設定されたＳＳＩＤに関連する通信状況を示す情報（第２情報）である。
【００４７】  また、この例では、評価レベルは「５」である。この例では、評価レベルは、５段階あり、それぞれの評価に対応する色が評価ランプ６１７及び６２７に表示される。例えば、評価レベルが「１」のときは、評価は、上述の「重大」で、対応する色は、濃い赤色である。評価レベルが「２」のときは、評価は、上述の「警告」で、対応する色は、赤色である。評価レベルが「３」のときは、評価は、上述の「注意」で、対応する色は、オレンジ色である。評価レベルが「４」のときは、評価は、上述の「許容」で、対応する色は、緑色である。評価レベルが「５」のときは、評価は、上述の「良好」で、対応する色は、青色である。なお、評価レベルが「０」のときは、評価結果がなく、ランプが消灯状態である。評価レベルの段階や評価レベルに対応する色は、適宜設定・変更することが可能である。評価は、上述のとおり、通信状況情報に基づき決定される。
【００４８】  台数表示６１１及び６２１は、接続する無線端末の台数を表わす。この例では、台数表示６１１及び６２１は、０台から１００台まで表示することができる。また、台数に対応する色も表示される。例えば、接続する無線端末の台数が０台のときは、消灯し、１台から１０台のときは、青色に表示する。同様に、１１台から２０台のときは、緑色に表示し、２１台から４０台のときは、オレンジ色で表示し、４１台から５０台のときは、赤色で表示し、５１台から１００台のときは、濃い赤色で表示する。もっとも、台数表示６１１及び６２１が表示可能な台数及び台数に対応する色は、適宜設定・変更することができる。
【００４９】  画像群の最前面に位置する画像に対応した領域であって、当該画像群に含まれる他の画像に重畳しない領域を少なくとも含む位置には、当該画像群が示す複数のＳＳＩＤに対応する第３情報（同一アクセスポイントにおいて設定された複数のＳＳＩＤに共通に関連する通信状況を示す情報）が表示される。この例では、同一アクセスポイントにおいて設定された複数のＳＳＩＤに共通に関連する通信状況を示す情報は、ＣＲＣエラー率とチャネル使用率である。ＣＲＣエラー率６１３は、ＣＲＣエラー率を表示し、チャネル使用率６１５は、チャネル使用率を表示する。図６に示すＣＲＣエラー率６１３、チャネル使用率６１５が、同一アクセスポイントにおいて設定された複数のＳＳＩＤに共通に関連する通信状況を示す情報（第３情報）である。ＣＲＣエラー率６１３及びチャネル使用率６１５は、複数のＳＳＩＤで同じ値になる情報、または共通に関連する情報である。ＣＲＣエラー率は、１台のアクセスポイントが受信したすべてのフレームのＣＲＣエラー率を算出しているため、ＳＳＩＤ単位でのＣＲＣエラー率というのは、概念的にない。そのため、ＣＲＣエラー率は、複数のＳＳＩＤで共通する情報である。チャネル使用率は、１台のアクセスポイントで同じ周波数を使用しているため、同じ値になる。そのため、チャネル使用率は、複数のＳＳＩＤで同じ値になる情報である。画像群の最前面に位置する画像に対応した領域であって、当該画像群に含まれる他の画像に重畳しない領域を少なくとも含む位置には、ＣＲＣエラー率やチャネル使用率に限定されず、複数のＳＳＩＤで同じ値になる情報、または共通に関連する情報であれば、表示することができる。
【００５０】  ＣＲＣエラー率は、０％から１００％まで表示することができる。また、パーセントに対応する色も表示することができる。この例では、ＣＲＣエラー率が０％のときは、消灯し、ＣＲＣエラー率が１％から１０％のときは、青色に表示する。同様に、ＣＲＣエラー率が１１％から２０％のときは、緑色に表示し、ＣＲＣエラー率が２１％から４０％のときは、オレンジ色に表示し、ＣＲＣエラー率が４１％から６０％のときは、赤色に表示し、ＣＲＣエラー率が６１％から１００％のときは、濃い赤色に表示する。チャネル使用率についても、ＣＲＣエラー率と同様に、０％から１００％まで、パーセントと対応する色とともに表示する。
【００５１】  図５及び図６では、ＣＲＣエラー率６１３の情報及びチャネル使用率６１５の情報は、評価ランプ６１７の周囲の左半分に表示されている。これは、図５に示すように、Ｙ軸方向７０３が、平面視において右上方向であるため、この右上方向と反対側に表示しているからである。このように右上方向と反対側に表示しているのは、複数のＳＳＩＤで同じ値になる情報、または共通する情報であれば、画面の手前にあるＳＳＩＤ、すなわち、代表ＳＳＩＤのアイコン６１に表示すれば足り、サブＳＳＩＤアイコン６２には表示する必要がないからである。そのため、図７に示すように、サブＳＳＩＤアイコン６２には、ＣＲＣエラー率の情報及びチャネル使用率の情報は表示されていない。代表ＳＳＩＤのアイコン６１とサブＳＳＩＤアイコン６２とは、この点において異なる。
【００５２】  Ｙ軸方向７０３は、任意の方向に設定することが可能である。例えば、図５の例とは異なり、Ｙ軸方向７０３が図５の平面視において左上方向である場合には、ＣＲＣエラー率６１３及びチャネル使用率６１５は、評価ランプ６１７の周囲の右半分に表示される。すなわち、ＣＲＣエラー率６１３及びチャネル使用率６１５は、画面の手前にあるＳＳＩＤの周囲のうち複数のＳＳＩＤのアイコンが重なる方向と反対側に表示されるのである。
【００５３】  例えば、図４に示した検索欄５１１に無線端末のＭＡＣアドレスを入力して検索した場合、図８Ａに示すように、ＭＡＣアドレス情報６３９を円の外側に表示してもよい。ＭＡＣアドレス情報の表示位置は、他のＳＳＩＤアイコンと重なりにくい位置である。例えば、Ｙ軸方向７０３を変えた場合には、ＭＡＣアドレス情報は、図８Ａに示す位置（ＭＡＣアドレス情報６３９の位置）から図８Ｂに示す位置（ＭＡＣアドレス情報６４９の位置）に表示される位置が変わってもよい。この例では、図８Ａ及び図８Ｂに示すように、ＭＡＣアドレス情報６３９やＭＡＣアドレス情報６４９には、三角形の矢印があり、これらの矢印は、それぞれ円の中心を向いている。このように、無線端末のＭＡＣアドレスを検索した場合、検索したＭＡＣアドレス情報が表示されるため、他のＳＳＩＤアイコンと識別しやすいという効果を奏する。なお、ＭＡＣアドレス情報を円の外側に表示するのは、検索欄５１１に無線端末のＭＡＣアドレスを入力して検索した場合に限定されるものではなく、無線端末がローミングしたときなどであってもよい。また、ＭＡＣアドレス情報の表示を所定の時間の間に設定してもよい。
【００５４】  なお、Ｙ軸方向７０３と同様に、Ｘ軸方向７０１、Ｚ軸方向７０２も、画像群の最前面に位置する画像に対応した領域であって、当該画像群に含まれる他の画像に重畳しない領域を少なくとも含む位置に、複数のＳＳＩＤで同じ値になる情報、または共通に関連する情報を表示することが可能であれば、任意に設定可能である。
【００５５】  他方、台数表示６２１は、サブＳＳＩＤアイコン６２の一部が重なっても、可能な限り表示されることが好ましい。図５の例では、台数表示の一部は重なっている。しかし、この例では、１台から１０台のときは、青色に表示し、１１台から２０台のときは、緑色に表示し、２１台から４０台のときは、オレンジ色で表示し、４１台から５０台のときは、赤色で表示し、５１台から１００台のときは、濃い赤色で表示する。そのため、例えば、台数表示の一部が重なっていても、この５色のいずれが表示されているかは識別可能である。したがって、サブＳＳＩＤアイコン６２の重なりの程度は、重なっても、評価レベルの色（この例では、５色）のうち、いずれが表示されているか識別可能な程度であることが好ましい。この重なりの程度は、表示可能な台数及び台数に対応する色に依存することになる。台数表示６２１のすべての評価レベルの色を表示するために、生成部３３は、複数のＳＳＩＤに対応する画像に対応した領域であって、他の画像に重畳しない領域を少なくとも含む位置に、複数のＳＳＩＤに対応する無線端末の接続台数の情報を表示するためのデータを生成してもよい。
【００５６】  以上で説明したとおり、本実施形態によれば、１つのアイコンで１つのＳＳＩＤの情報を、画面表示を切り替えることなく一度の表示で、リアルタイムに把握することができるという効果を奏する。例えば、本実施形態のように、チャネル使用率と接続する無線端末の台数が表示されていれば、チャネル使用率が高くなっている原因を追究することができる。すなわち、チャネル使用率が高く、かつ、接続する無線端末の台数が多い場合には、接続する無線端末の台数が多くアクセスポイント４への負荷がかかっていることが原因であることが考えられる。他方、チャネル使用率が高く、かつ、接続する無線端末の台数が少ない場合には、アクセスポイント４に接続する無線端末が低速モードであることが原因であることが考えられる。アクセスポイント４に接続する無線端末は、アクセスポイント４から距離が離れれば、伝送速度が遅くなる。１台でも、伝送速度が遅い無線端末が存在すると、当該無線端末が接続するアクセスポイント４に接続する他の無線端末の伝送速度も遅くなってしまう。このように１つのアイコンで１つのＳＳＩＤの情報を、画面表示を切り替えることなく一度の表示で、チャネル使用率と接続する無線端末の台数などの複数の通信状況情報が表示されることによって、ＳＳＩＤ毎に生じている問題とその原因を把握することができるという効果を奏する。
【００５７】［動作例］  図９を用いて、制御装置３の全体マップ機能を利用する場合の動作例を説明する。図９は、本発明の一実施形態に係る制御装置の全体マップ機能を利用する場合の動作例を示すフロー図である。
【００５８】  まず、ユーザから表示内容の更新の入力を受け付けたかどうかを判断する（ステップＳ１０１）。この入力を受け付けていない場合には、この入力を受け付けるまで、処理はループし、入力を受け付けると（ステップＳ１０１でＹｅｓの場合）、制御装置３は、各アクセスポイント４に対し、最新の通信状況情報を送信するように指示を送信する（ステップＳ１０３）。最新の通信状況情報とは、アクセスポイント４で通信状況情報の記録が更新されたときの当該通信状況情報を意味する。また、言い換えると、更新されたときの時刻情報（タイムスタンプ）を有する通信状況情報を意味する。なお、自動更新ボタン５４３が押されている場合には、設定された自動更新のタイミング毎に更新の入力を受け付けているものとして扱われる。
【００５９】  そうすると、受信部３１は、各アクセスポイント４から、最新の通信状況情報を受信する（ステップＳ１０５）。言い換えると、受信部３１は、表示内容の更新の入力を受けた後にアクセスポイント４から通信状況情報を受信する。なお、所定の期間を経過しても、受信部３１が最新の通信状況情報を受信しない場合、制御装置３は、各アクセスポイント４に対し、最新の通信状況情報を再送するよう要求してもよいし、処理を終了して、再度ユーザからの表示内容の更新の入力の受け付けを待つようにしてもよい。
【００６０】  続いて、受信した最新の通信状況情報をデータベース５に記録する（ステップＳ１０７）。続いて、生成部３３は、データベース５に記録されている各アクセスポイント４の最新の通信状況情報に基づいて、各ＳＳＩＤに関するアイコンを表示するデータを生成する（ステップＳ１０９）。この動作例では、表示部５０が制御装置３の外部にあるものとして、説明したが、制御装置３が表示部５０を備える場合には、さらに、表示部５０が、生成部３３が生成したデータを表示してもよい。
【００６１】  このように、リアルタイムでＳＳＩＤ単位の情報を表示することによって、リアルタイムで各ＳＳＩＤにおいて生じた問題を把握することができるという効果を奏する。また、各ＳＳＩＤのアイコンに「良好」、「許容」、「注意」、「警告」、「重大」等を意味する色や文字による表示をするため、専門知識を有しないユーザであっても、問題の重要度を判断することができるという効果を奏する。
【００６２】＜変形例１＞  以上の実施形態の制御装置３は、次のようなハードウエア構成によっても実現することができる。図１０は、本発明の変形例に係る制御装置の構成を示すブロック図である。制御装置３と重複する構成についての説明は省略する。図１０に示すように、制御装置３Ａは、無線電波解析回路３１Ａ、データ生成回路３３Ａ、画像表示回路３５Ａを備える。制御装置３の制御部３０を、無線電波解析回路３１Ａ、データ生成回路３３Ａ、画像表示回路３５Ａで実現している。また、この例では、通信部８０Ａは、無線電波検出部８１Ａを含むが、別の回路で構成してもよい。無線電波検出部８１は、受信した電波を検出する。無線電波解析回路３１Ａは、検出された電波の情報を数値化する。無線電波解析回路３１Ａは、制御装置３の受信部３１に対応する。データ生成回路３３Ａは、ＳＳＩＤのアイコンの画像などの画像を表示するためのデータを生成する。データ生成回路３３Ａは、制御装置３の生成部３３に対応する。画像表示回路３５Ａは、描画位置を決定する。本変形例においても、上記の実施形態と同様の効果を奏する。
【００６３】＜変形例２＞  以上の実施形態の制御装置３は、次のようなソフトウエア構成によっても実現することができる。図１１は、本発明の他の変形例に係る制御装置の構成を示すブロック図である。図１１に示すように、記憶部６０Ｂには、無線電波解析プログラム６１Ｂ、データ生成プログラム６３Ｂ、画像表示プログラム６５Ｂが記憶されている。制御装置３と異なり、複数のプログラムに分けている。無線電波検出部８１は、受信した電波を検出する。ＣＰＵの無線電波解析部３１Ｂは、記憶部６０Ｂに記憶された電波解析プログラム６１Ｂを実行して、検出された電波の情報を数値化する。無線電波解析部３１Ｂは、制御装置３の受信部３１に対応する。ＣＰＵのデータ生成部３３Ｂは、記憶部６０Ｂに記憶されたデータ生成プログラムを実行して、ＳＳＩＤのアイコンの画像などの画像を表示するためのデータを生成する。ＣＰＵのデータ生成部３３Ｂは、制御装置３の生成部３３に対応する。ＣＰＵの画像表示部３５Ｂは、記憶部６０Ｂに記憶された画像表示プログラムを実行して、描画位置を決定する。本変形例においても、上記の実施形態と同様の効果を奏する。
【００６４】  なお、本発明は上記の実施形態に限られたものではなく、趣旨を逸脱しない範囲で適宜変更することが可能である。
【符号の説明】
【００６５】３：制御装置  ４：無線中継装置  ５、６：データベース３０：制御部  ３１：受信部  ３３：生成部  ４０：操作部  ５０：表示部  ６０：記憶部  ６１：代表ＳＳＩＤのアイコン６２：サブＳＳＩＤアイコン  ６５：画像群  ７０：接続部  ８０：通信部
【図１】
0006760369.tif 000002
【図２】
0006760369.tif 000003
【図３】
0006760369.tif 000004
【図４】
0006760369.tif 000005
【図５】
0006760369.tif 000006
【図６】
0006760369.tif 000007
【図７】
0006760369.tif 000008
【図８Ａ】
0006760369.tif 000009
【図８Ｂ】
0006760369.tif 000010
【図９】
0006760369.tif 000011
【図１０】
0006760369.tif 000012
【図１１】
0006760369.tif 000013